(57)【要約】【課題】正逆転自在な一つの回転軸上に二つのポンプユニットを配置したモータ一体型ポンプにおいて、一方のポンプユニットの駆動時に他方のポンプユニットにより回転軸に作用するスラスト荷重を軽減する。【解決手段】回転軸１４に固定されたロータ１３を有する第一ポンプユニット１６と、回転軸１４に固定されたインペラ１５を有する第二ポンプユニット１７とを設ける。ロータ１３が正回転して流体を送り出すことにより回転軸１４にスラスト荷重が作用するとき、ロータ１３と一体に回転するインペラ１５の第一押圧面３９ａでインペラ１５の周囲の流体をスラスト荷重方向と同じ方向へ押圧する。これにより、第一押圧面３９ａが流体を押圧する反作用がインペラ１５に作用し、この反作用と回転軸１４に作用するスラスト荷重とが相殺され、回転軸１４に作用するスラスト荷重による回転軸１４の軸受けの負荷が軽減され、軸受けの耐久性が向上する。【選択図】    図２
2004332605.tif 000002
【特許請求の範囲】
【請求項１】
複数の巻線を有する筒状のステータと、外周面に螺旋状の流路が形成されて前記ステータ内に軸心回りに正逆回転自在に収納されたロータと、前記ロータが正回転したときに前記ステータ内へ流体を吸入する第一吸入口と、前記第一吸入口から吸入された流体が前記ロータの一端側から他端側へ前記流路内を移動した後に排出される第一排出口と、を有する第一ポンプユニットと、
前記ロータの回転軸に連結されて前記ロータと共に正逆回転するインペラと、前記インペラの周囲に形成されたポンプ室と、前記インペラが逆回転したときに前記ポンプ室内へ流体を吸入する第二吸入口と、前記第二ポンプ室内へ吸入された流体が排出される第二排出口と、を有する第二ポンプユニットと、
を備え、
前記インペラは、正回転したときに前記第一排出口からの流体の排出により前記回転軸に作用するスラスト荷重方向と同じ方向へ前記ポンプ室内の流体を押圧する第一押圧面と、逆回転したときに前記ポンプ室内の流体を前記第二排出口へ押圧する第二押圧面と、
を備えているモータ一体型ポンプ。
【請求項２】
前記第一ポンプユニットと前記第二ポンプユニットとの間を仕切る仕切部に前記ステータ内と前記ポンプ室とを連通する連通穴が形成されている請求項１記載のモータ一体型ポンプ。
【請求項３】
食器が収納される食器収納部と、
前記食器収納部の下方に配置されて洗浄水が吐出する複数のノズルが設けられたノズル体と、
前記食器収納部の下方に配置された洗浄水タンクと、
前記食器収納部の下方に配置された排水タンクと、
前記ロータが上側に位置して前記インペラが下側に位置する向きに位置付けられた請求項１記載のモータ一体型ポンプと、
前記洗浄水タンクと前記第一吸入口とを接続する第一吸入パイプと、
前記第一排出口と前記ノズル体とを接続する供給パイプと、
前記排水タンクと前記第二吸入口とを接続する第二吸入パイプと、
を有する食器洗浄機。
【請求項４】
前記第二吸入パイプから前記ポンプ室に到る領域の底面が前記排水タンクの底面と同一かそれよりも低く設定されている請求項３記載の食器洗浄機。
【請求項５】
前記第一ポンプユニットと前記第二ポンプユニットとの間を仕切る仕切部に前記ステータ内と前記ポンプ室とを連通する連通穴が形成されている請求項３又は４記載の食器洗浄機。
【請求項６】
前記連通穴は、前記ノズルに目詰まりするサイズの残滓を通過させないサイズに形成されている請求項５記載の食器洗浄機。
【請求項７】
前記第一吸入パイプから前記ステータ内に到る領域の底面が前記洗浄水タンクの底面と同一かそれよりも低く設定されている請求項４ないし６のいずれか一記載の食器洗浄機。
【請求項８】
前記回転軸は樹脂軸受けで軸支され、前記樹脂軸受けの周囲に洗浄水を貯留する貯留部が形成されている請求項３ないし７のいずれか一記載の食器洗浄機。
【発明の詳細な説明】
【０００１】
【発明の属する技術分野】
本発明は、モータ一体型ポンプ及びそのモータ一体型ポンプを搭載した食器洗浄機に関する。
【０００２】
【従来の技術】
従来、モータ部とポンプ部とを一体にしたモータ一体型ポンプとしては、ロータをインペラとして作用させるものが知られている（例えば、特許文献１参照）。
【０００３】
一方、食器洗浄機等に搭載されているポンプとしてはモータ部とポンプ部とを別体に設けたものが多く、その一例として、モータ部の一つの回転軸に洗浄用ポンプ部と排水用ポンプ部とを結合したものが知られている（例えば、特許文献２参照）。このポンプによれば、モータ部を一方向（正転方向）へ回転駆動させることにより洗浄用ポンプ部が機能し、洗浄水タンク内の洗浄水が吸引されてその洗浄水が食器へ向けて吐出され、食器等の洗浄が行われる。また、洗浄作業終了後にモータ部を他方向（逆転方向）へ回転駆動させることにより排水用ポンプ部が機能し、洗浄水タンク内の洗浄水が吸引されてその洗浄水が食器洗浄機外へ排水される。
【０００４】
【特許文献１】
特開平１０−２４６１９３号公報
【特許文献２】
特開２００１−７８９４８公報
【０００５】
【発明が解決しようとする課題】
特許文献２に開示された食器洗浄機のポンプによれば、洗浄水が食器に向けて吐出されるとき、又は、洗浄水が食器洗浄機外へ排水されるときにモータ部の回転軸にスラスト荷重が作用し、このスラスト荷重により回転軸の軸受けが劣化してポンプの寿命が短くなるという問題がある。スラスト荷重による軸受けの劣化の問題に関して食器の洗浄時と洗浄水の排水時とを比較すると、連続運転時間が長い洗浄時においてより問題となる。
【０００６】
また、上述した食器洗浄機等においては、洗浄水の排水が十分に行われないと、排水されずに残った洗浄水が異臭発生の原因となる場合がある。
【０００７】
本発明の目的は、ロータの回転軸に作用するスラスト荷重を軽減し、回転軸を軸支する軸受けの耐久性を向上させることである。
【０００８】
本発明の別の目的は、モータ一体型ポンプの排水性能を高めることである。
【０００９】
【課題を解決するための手段】
本発明のモータ一体型ポンプは、第一ポンプユニットと第二ポンプユニットとを備えている。第一ポンプユニットは、複数の巻線を有する筒状のステータ、外周面に螺旋状の流路が形成されて前記ステータ内に軸心回りに正逆回転自在に収納されたロータ、前記ロータが正回転したときに前記ステータ内へ流体を吸入する第一吸入口、前記第一吸入口から吸入された流体が前記ロータの一端側から他端側へ前記流路内を移動した後に排出される第一排出口を有する。第二ポンプユニットは、前記ロータの回転軸に連結されて前記ロータと共に正逆回転するインペラ、前記インペラの周囲に形成されたポンプ室、前記インペラが逆回転したときに前記ポンプ室内へ流体を吸入する第二吸入口、前記第二ポンプ室内へ吸入された流体が排出される第二排出口を有する。前記インペラは、前記ロータが正回転したときに前記第一排出口からの流体の排出により前記回転軸に作用するスラスト荷重方向と同じ方向へ前記ポンプ室内の流体を押圧する第一押圧面と、前記ロータが逆回転したときに前記ポンプ室内の流体を前記第二排出口へ押圧する第二押圧面とを備えている。
【００１０】
したがって、ロータが正回転することにより第一吸入口から吸入された流体がロータの流路内を移動して第一吐出口から吐出されるときにロータの回転軸にスラスト荷重が作用するが、ロータと共に正回転するインペラの第一押圧面がポンプ室内の流体をスラスト荷重方向と同じ方向へ押圧するので、第一押圧面が流体を押圧することの反作用がインペラに作用し、この反作用と回転軸に作用するスラスト荷重とが相殺され、回転軸に作用するスラスト荷重が軽減される。一方、インペラがロータと共に逆回転するときには、インペラの第二押圧面がポンプ室内の流体を第二排出口へ押圧するので、第二排出口から流体の排出が良好に行われる。
【００１１】
【発明の実施の形態】
本発明の一実施の形態を図面に基づいて説明する。図１は食器洗浄機の全体構成を示す縦断側面図、図２はその一部を拡大して示す縦断側面図、図３は図２におけるＡ−Ａ線断面図、図４は図２におけるＢ−Ｂ線断面図、図５は図２における矢印Ｃ方向の平面図、図６は図２における矢印Ｄ方向の平面図、図７は図６における矢印Ｅ−Ｅ線断面図、図８はインペラを示す斜視図である。
【００１２】
食器洗浄機１は、食器かご２に載置された食器３が収納される食器収納部４、食器収納部４の下方に配置されて洗浄水が吐出する複数のノズル５が設けられたノズル体６、ノズル体６の下方に配置された洗浄水タンク７、洗浄水タンク７の下方に配置された排水タンク８、洗浄水タンク７内の洗浄水をノズル５から吐出させる機能と排水タンク８内の洗浄水を食器洗浄機１外へ排出する機能とを備えたモータ一体型ポンプ９等を備えている。なお、食器洗浄機１には洗浄水を供給するための水道管（図示せず）が接続されている。また、食器洗浄機１の正面には開閉自在な扉１０が設けられ、この扉１０を開放することにより食器収納部４への食器３の出し入れを行える。
【００１３】
モータ一体型ポンプ９は、内部に筒状のステータ１１を収納したハウジング１２、ステータ１１内に軸心回りに正逆回転自在に収納されたロータ１３、ロータ１３の回転軸１４に固定されてロータ１３と共に正逆回転するインペラ１５を備え、回転軸１４が上下方向に延出してインペラ１５が下側に位置する向きに取付けられている。そして、このモータ一体型ポンプ９は、その上部側が第一ポンプユニット１６とされ、その下部側が第二ポンプユニット１７とされている。
【００１４】
ロータ１３の外周部には、ロータ１３の一端側から他端側に向けて螺旋状の流路１８が形成されている。ロータ１３の上方側端部には遠心インペラ１３ａが一体に形成されている。ロータ１３の内部には、先端部をステータ１１の内周面に対向する向きに配置された複数の永久磁石（図示せず）が設けられている。
【００１５】
ステータ１１は、板状の珪素鋼板を積層して形成した筒状のステータコア１９、ステータコア１９の内周側に放射状に等間隔で一体形成された６個の凸部２０、各凸部２０に巻かれた巻線２１、凸部２０と巻線２１との間を絶縁するボビン２２等により構成されている。
【００１６】
ステータ１１の内周側には、アルミニウムやＳＵＳ等の非磁性体で薄肉に形成された円筒状のキャン２３が取付けられている。キャン２３とステータ１１との間には粘性を有する熱伝導部材であるシリコーングリースが充填され、このシリコーングリースを介してステータ１１とキャン２３との間の熱伝導が良好に行われる。また、キャン２３はステータ１１に対する防水機能を有し、キャン２３の上方側端部とハウジング１２との間にはＯリング２４が介装され、キャン２３の下方側端部とハウジング１２との間にはＯリング２５が介装されている。
【００１７】
ハウジング１２の上方側端部には遠心インペラ１３ａの上方を覆う上部ケース２６が固定され、この上部ケース２６内の遠心インペラ１３ａの周囲の空間が圧力室２７とされている。
【００１８】
ハウジング１２の下端部には、ロータ１３が正回転（上方から見て時計回り方向へ回転）したときにキャン２３内へ洗浄水（流体）を吸入する第一吸入口２８が設けられている。この第一吸入口２８と洗浄水タンク７とが第一吸入パイプ２９で接続されている。ハウジング１２の上端部に設けられている圧力室２７には、第一吸入口２８から吸入された洗浄水が流路１８に沿って上昇して圧力室２７内に入り込んだ後、その洗浄水が圧力室２７から排出される第一排出口３０が設けられている。この第一排出口３０とノズル体６とが供給パイプ３１で接続されている。
【００１９】
ハウジング１２の下方側端部にはインペラ１５の下方を覆う下部ケース３２が固定され、この下部ケース３２内のインペラ１５の周囲の空間がポンプ室３３とされている。
【００２０】
ポンプ室３３には、ロータ１３が逆回転（上方から見て反時計回り方向へ回転）したときに、洗浄水（流体）をポンプ室３３へ吸入する第二吸入口３４が設けられている。この第二吸入口３４と排水タンク８とが第二吸入パイプ３５で接続されている。さらに、ポンプ室３３には、第二吸入口３４から吸入された洗浄水が排出される第二排出口３６が設けられている。第二排出口３６には、洗浄水を食器洗浄機１外へ排水するための排水パイプ３６ａが接続されている。
【００２１】
上述した第一ポンプユニット１６は、ステータ１１、ロータ１３、上部ケース２６、圧力室２７、第一吸入口２８、第一排出口３０等により構成されている。また、上述した第二ポンプユニット１７は、インペラ１５、下部ケース３２、ポンプ室３３、第二吸入口３４、第二排出口３６等により構成されている。第一ポンプユニット１６と第二ポンプユニット１７との間にはこれらの第一・第二ポンプユニット１６、１７を仕切る仕切部である仕切板３７が設けられている。この仕切板３７を回転軸１４が貫通し、回転軸１４の周囲にはキャン２３内とポンプ室３３とを連通する連通穴３８が形成されている。連通穴３８は、ノズル５に目詰まりするサイズの残滓を通過させないサイズに形成されている。
【００２２】
インペラ１５は、図８に示すように６枚の羽根３９が設けられ、各羽根３９には第一押圧面３９ａと第二押圧面３９ｂとが形成されている。
【００２３】
ここで、ロータ１３が正回転したときに第一吸入口２８から吸入された洗浄水が流路１８内を上昇して第一排出口３０から排出され、この洗浄水がノズル体６のノズル５から吐出されることにより食器３の洗浄が行われる。このとき、圧力室２７内の圧力が上昇することにより回転軸１４には下向きのスラスト荷重が作用する。
【００２４】
第一押圧面３９ａは、インペラ１５がロータ１３と共に正回転することにより、ポンプ室３３内の洗浄水を回転軸１４に作用するスラスト荷重方向と同じ方向である下向きに押圧する傾斜をもって形成されている。インペラ１５が正回転して第一押圧面３９ａがポンプ室３３内の洗浄水を下向きに押圧することにより、第一押圧面３９ａが流体を押圧したことの反作用がインペラ１５に上向きに作用し、この上向きに作用する反作用と回転軸１４に作用する下向きのスラスト荷重とが相殺され、回転軸１４に作用するスラスト荷重が軽減される。
【００２５】
第二押圧面３９ｂは、インペラ１５がロータ１３と共に逆回転することにより、ポンプ室３３内の洗浄水に対して略直角に衝突してその洗浄水を第二排出口３６へ押圧する向きに形成されている。
【００２６】
回転軸１４の上下両端は、それぞれ樹脂軸受け４０、４１により軸支されている。上部側の樹脂軸受け４０は上部ケース２６に形成されたホルダ部４２により保持され、下部側の樹脂軸受け４１は下部ケース３２に形成されたホルダ部４３により保持されている。樹脂軸受け４０、４１の周囲には、洗浄水を潤滑剤として貯留する貯留部４４、４５が形成されている。
【００２７】
図６及び図７に示すように、洗浄水タンク７の上方には斜めに傾斜したフィルタ４６が配置され、このフィルタ４６には残滓の通過を許容せずに洗浄水の通過のみを許容する複数の洗浄水落下穴４７と、フィルタ４６の傾斜方向に沿った下流側に位置して残滓の落下を許容する残滓落下穴４８とが形成されている。洗浄水タンク７と排水タンク８とはリブ４９により仕切られ、洗浄水の水位がリブ４９の上端より高い場合には洗浄水タンク７と排水タンク８とは連通状態とされている。洗浄水タンク７内には、この洗浄水タンク７内に貯留された洗浄水を設定温度に加熱するヒータ５０が設けられている。排水タンク８の底面は洗浄水タンク７の底面より下側とされ、残滓落下穴４８は排水タンク８に連通する位置に形成されている。つまり、フィルタ４６上を傾斜に沿って滑り落ちた残滓は、残滓落下穴４８から排水タンク８内に落下する。
【００２８】
第二吸入パイプ３５からポンプ室３３に到る領域の底面は、排水タンク８の底面と同一かそれよりも低く設定されている。また、第一吸入パイプ２９からキャン２３内に到る領域の底面は、洗浄水タンク７の底面と同一かそれよりも低く設定されている。
【００２９】
このような構成において、洗浄する食器３を食器かご２に載置して食器収納部４に収納し、洗浄スタートボタンを押すと、図示しない制御部からの制御により、洗浄水タンク７内への洗浄水の供給、供給した洗浄水のヒータ５０による加熱等が自動的に行われる。洗浄水の水温が設定温度に上昇するとステータ１１の巻線２１への通電が開始され、ロータ１３とインペラ１５とが回転軸１４の軸心回りに正回転（矢印ａ方向の回転）を開始する。
【００３０】
この回転により、ロータ１３の流路１８内の洗浄水が流路１８に沿って上昇し、上昇した洗浄水は遠心インペラ１３ａにより加圧されて第一排出口３０から排出される。また、流路１８内の洗浄水が上昇することにより、洗浄水タンク７内の洗浄水が第一吸入パイプ２９内を通って第一吸入口２８からキャン２３内に流入し、この洗浄水も流路１８内を上昇して第一排出口３０から排出される。第一排出口３０から排出された洗浄水は供給パイプ３１内を流れてノズル体６へ供給され、ノズル体６のノズル５から食器３に向けて吐出され、食器３の洗浄が行われる。
【００３１】
ノズル５から吐出された洗浄水は食器３を洗浄した後に洗浄水タンク７内に戻り、洗浄水タンク７内の洗浄水は第一吸入パイプ２９内を流れて第一吸入口２８からキャン２３内へ流入し、ロータ１３の流路１８に沿って上昇し、再びノズル５から食器３に向けて吐出される。このようにして洗浄水タンク７内の洗浄水が循環され、食器３の洗浄が行われる。その際、洗浄時には第一排出口３０より吸引する力が働くため、排水パイプ３６ａから食器洗浄機１外への洗浄水の排水は行われない。
【００３２】
ロータ１３が正回転することにより流路１８内を上昇した洗浄水がノズル５から吐出する食器３の洗浄時において、圧力室２７内の圧力が上昇し、この圧力上昇によってロータ１３が下向きに付勢されるとともに回転軸１４には下向きのスラスト荷重が作用する。
【００３３】
一方、ロータ１３と共にインペラ１５が正回転することにより、ポンプ室３３内の洗浄水が羽根３９の第一押圧面３９ａにより回転軸１４に作用するスラスト荷重方向と同じ方向である下向きに押圧される。そして、第一押圧面３９ａが洗浄水を下向きに押圧したことの反作用がインペラ１５に上向きに作用し、この上向きに作用する反作用によって回転軸１４に作用する下向きのスラスト荷重が相殺される。これにより、洗浄時に樹脂軸受け４１に作用する負荷が軽減され、樹脂軸受け４１の耐久性が高くなる。
【００３４】
また、樹脂軸受け４０、４１の周囲には洗浄水を貯留する貯留部４４、４５が設けられおり、貯留部４４、４５には洗浄時に自動的に洗浄水が貯留される。樹脂軸受け４０、４１はその洗浄水によって潤滑が行われるので、樹脂軸受け４０、４１の耐久性がより一層高くなる。また、この樹脂軸受け４０、４１によれば、潤滑剤を補給するというメンテナンスが不要となる。
【００３５】
洗浄時において食器３から洗い落とされた残滓は、フィルタ４６上に落下してフィルタ４６上をその傾斜に沿って滑り落ち、残滓落下穴４８から排水タンク８内に落下する。排水タンク８内に落下した残滓は、フィルタ４６によって洗浄水タンク７に戻ることが阻止され、排水タンク８内に留まる。排水タンク８に連通しているポンプ室３３と洗浄水タンク７に連通しているキャン２３内とは、仕切板３７に形成された連通穴３８によって連通されているが、この連通穴３８は、ノズル５に目詰まりするサイズの残滓を通過させないサイズに形成されているので、排水タンク８内に落下した残滓が連通穴３８を通過してキャン２３内（洗浄水タンク７側）に入り込んだとしても、その残滓によりノズル５が目詰まりするということが防止される。
【００３６】
つぎに、ロータ１３を正回転させる食器３の洗浄を開始してから所定時間が経過すると、制御部からの制御により巻線２１に対する通電パターンが切り替えられ、ロータ１３とインペラ１５とが回転軸１４の軸心回りに逆回転（矢印ｂ方向の回転）を開始する。
【００３７】
インペラ１５が逆回転することにより、インペラ１５の第二押圧面３９ｂがポンプ室３３内の洗浄水に対して略直角に衝突し、ポンプ室３３内の洗浄水は第二排出口３６から排水パイプ３６ａ内へ送り込まれ、食器洗浄機１外へ排水される。ポンプ室３３は第二吸入パイプ３５を介して排水タンク８に連通しており、この排水時には排水タンク８内の洗浄水と共に排水タンク８内に落下している残滓が排出される。
【００３８】
ロータ１３が逆回転することにより、供給パイプ３１内や圧力室２７内に存在する洗浄水が流路１８に沿って下方へ案内されて洗浄水タンク７内へ戻され、供給パイプ３１内や圧力室２７内での残水が防止される。供給パイプ３１内や圧力室２７内から洗浄水タンク７側へ洗浄水が戻された後はロータ１３は空転状態となり、ロータ１３の回転が原因となる回転軸１４に対するスラスト荷重はほとんど生じない。
【００３９】
洗浄水タンク７内の洗浄水の水位がリブ４９の上端縁より上である場合には、洗浄水タンク７内の洗浄水はリブ４９の上端縁の上を通過して排水タンク８内に入り込み、排水される。
【００４０】
洗浄水タンク７内の洗浄水の水位が下がり、リブ４９の上端縁より下になった場合には、洗浄水タンク７内の洗浄水は、仕切板３７の連通穴３８を通ってポンプ室３３内に流入し、排水される。ここで、第一吸入パイプ２９からキャン２３内に到る領域の底面が、洗浄水タンク７の底面と同一かそれよりも低く設定されているので、洗浄水タンク７内に残水を生じることなく洗浄水が排水タンク８側へ流出する。これにより、排水時における洗浄水タンク７内での洗浄水の残水が防止される。
【００４１】
ロータ１３が逆回転する洗浄水の排水時において、第二吸入パイプ３５からポンプ室３３に到る領域の底面が、排水タンク８の底面と同一かそれよりも低く設定されているので、排水タンク８内に残水を生じることなく洗浄水が食器洗浄機１外へ排水される。このため、洗浄水の一部が排水されずに排水タンク８内に残留することを防止でき、排水タンク８内に残留した洗浄水が異臭発生の原因となることを防止できる。
【００４２】
インペラ１５を逆回転させて排水を行っているときに、回転軸１４には上向きのスラスト荷重が作用して樹脂軸受け４０、４１の負荷となるが、そのスラスト荷重は洗浄時に下向きに作用するスラスト荷重に比べて小さく、また、排水時の運転時間は洗浄時の運転時間に比べて大幅に短時間である。このため、排水時に回転軸１４に上向きに作用するスラスト荷重は、樹脂軸受け４０、４１の耐久性を低下させる大きな要因とはならない。
【００４３】
【発明の効果】
本発明のモータ一体型ポンプにより、給水と排水とを行うことができ、軸受け等の負荷を軽減することができる。また、このモータ一体型ポンプを搭載した食器洗浄機により残滓等を含有する排水の滞留を防止でき、清潔な稼動を実現することができる。
【図面の簡単な説明】
【図１】本発明の一実施の形態の食器洗浄機の全体構成を示す縦断側面図である。
【図２】その一部を拡大して示す縦断側面図である。
【図３】図２におけるＡ−Ａ線断面図である。
【図４】図２におけるＢ−Ｂ線断面図である。
【図５】図２における矢印Ｃ方向の平面図である。
【図６】図２における矢印Ｄ方向の平面図である。
【図７】図６における矢印Ｅ−Ｅ線断面図である。
【図８】インペラを示す斜視図である。
【符号の説明】
３      食器
４      食器収納部
５      ノズル
６      ノズル体
７      洗浄水タンク
８      排水タンク
９      モータ一体型ポンプ
１１      ステータ
１３      ロータ
１４      回転軸
１５      インペラ
１６      第一ポンプユニット
１７      第二ポンプユニット
１８      流路
２１      巻線
２８      第一吸入口
２９      第一吸入パイプ
３０      第一排出口
３１      供給パイプ
３３      ポンプ室
３４      第二吸入口
３５      第二吸入パイプ
３６      第二排出口
３７      仕切部
３８      連通穴
３９ａ    第一押圧面
３９ｂ    第二押圧面
４０、４１  樹脂軸受け
４４、４５  貯留部
【図１】
2004332605.tif 000003
【図２】
2004332605.tif 000004
【図３】
2004332605.tif 000005
【図４】
2004332605.tif 000006
【図５】
2004332605.tif 000007
【図６】
2004332605.tif 000008
【図７】
2004332605.tif 000009
【図８】
2004332605.tif 000010